(57)【要約】      （修正有）【課題】被加熱物の入れ間違いやキーの操作間違いに気付いてドアを開け、再度調理を開始した場合、調理に影響を与えない調理器を提供する。【解決手段】加熱室内へ送風する送風装置８と、ドア４の開閉を検知する開閉検知手段と、被加熱物を加熱する加熱手段と、加熱運転条件等を入力する入力部および運転開始キーを設けた操作部７と、湿度センサ１６と、湿度センサ１６の出力に基づいて加熱運転を制御する制御部とを備え、運転開始キー操作後の所定時間は加熱手段の動作を停止し、送風装置８により加熱室内に送風する調理器において、運転開始キー操作後の所定時間内に、前記開閉検知手段によりドア４の開閉を検知し、再度運転開始キーが押された時、加熱手段の動作を停止して送風装置８により加熱室内へ所定時間送風することを特徴とする。【選択図】図２
2004293834.tif 000002
【特許請求の範囲】
【請求項１】
前面に開口を有し被加熱物を収納する加熱室と、この加熱室内の換気を行うため空気を加熱室内へ送風する送風装置と、前記加熱室の前面開口を開閉するドアと、このドアの開閉を検知する開閉検知手段と、被加熱物を加熱する加熱手段と、被加熱物の加熱運転条件等を入力する入力部および運転開始キーを設けた操作部と、加熱された被加熱物から発生する水蒸気を検知する湿度センサと、この湿度センサから出力されるセンサ出力に基づいて前記加熱運転を制御する制御部とを備え、運転開始キー操作後の所定時間は前記加熱手段の動作を停止し、前記送風装置により加熱室内に送風する調理器において、運転開始キー操作後の所定時間内に、前記開閉検知手段によりドアの開閉を検知し、再度前記運転開始キーが押された時、前記加熱手段の動作を停止して前記送風装置により前記加熱室内へ所定時間送風することを特徴とする調理器。
【発明の詳細な説明】
【０００１】
【発明の属する技術分野】
本発明は、調理器に関するものである。
【０００２】
【従来の技術】
従来の調理器で、湿度センサによりマグネトロンの出力を制御するものがある。（例えば、特許文献１参照。）
（問題点）
被加熱物の入れ間違いやキーの操作間違いに気付いてドアを開け、再度調理を開始した場合、間違いに気付くまでの時間分余分に加熱され、本来の調理の仕上りと違う。
【０００３】
【特許文献１】
特開平０６−３００２６６号公報（第５頁、第３図）
【０００４】
【発明が解決しようとする課題】
被加熱物の入れ間違いやキーの操作間違いに気付いてドアを開け、再度調理を開始した場合、調理に影響を与えない調理器を提供する。
【０００５】
【課題を解決するための手段および発明の効果】
本発明に係る調理器は、前面に開口を有し被加熱物を収納する加熱室と、この加熱室内の換気を行うため空気を加熱室内へ送風する送風装置と、前記加熱室の前面開口を開閉するドアと、このドアの開閉を検知する開閉検知手段と、被加熱物を加熱する加熱手段と、被加熱物の加熱運転条件等を入力する入力部および運転開始キーを設けた操作部と、加熱された被加熱物から発生する水蒸気を検知する湿度センサと、この湿度センサから出力されるセンサ出力に基づいて前記加熱運転を制御する制御部とを備え、運転開始キー操作後の所定時間は前記加熱手段の動作を停止し、前記送風装置により加熱室内に送風する調理器において、運転開始キー操作後の所定時間内に、前記開閉検知手段によりドアの開閉を検知し、再度前記運転開始キーが押された時、前記加熱手段の動作を停止して前記送風装置により前記加熱室内へ所定時間送風することを特徴とする。
【０００６】
従って、運転開始キー操作後の所定時間内に、前記開閉検知手段によりドアの開閉を検知し、再度前記運転開始キーが押された時、前記加熱手段の動作を停止して前記送風装置により前記加熱室内へ所定時間送風するので、被加熱物の入れ間違いやキーの操作間違いに気付いてドアを開け、再度調理を開始した場合、調理に影響を与えることがない。
【０００７】
【発明の実施の形態】
本発明の実施形態の調理器を、図面を参照して説明する。図１は本発明の調理器のドアを開けた時の外観斜視図、図２は本発明の調理器の平面断面図、図３はは本発明の調理器の制御回路の構成を示すブロック図、図４は本発明の調理器のフローチャートである。
【０００８】
図１について説明する。調理器は、正面を除いて外装１で覆われている。被加熱物を収納する加熱室３の前面開口２を開閉するドア４が設けられると共に、加熱室３の内底部にはターンテーブル６が回転可能に設けられている。前記ドア４には、ラッチ爪４ａが設けられている。前記ドア４を閉じると、キャビティ前面板５に形成された穴５ａを介して、ラッチ爪４ａが調理器本体内に入り、そこに配置されたドアスイッチ（図３）を作動する。また、前記ドア４の右側には操作部７が設けられている。この操作部７には、表示部７ａと調理条件等を入力する入力部７ｂと電源スイッチ７ｃと運転開始キー７ｄとが設けられている。
【０００９】
図２について説明する。加熱室３の右側には機械室９が設けられており、この機械室９内に被加熱物を加熱する加熱手段であるマグネトロン１０が配設されている。このマグネトロン１０は、マイクロ波を図示しない導波管を通して加熱室３内へ供給することにより、加熱室３内の被加熱物を調理する。更に、機械室９内には、送風装置８が配設されている。この送風装置８は、ファン８ａとファンモータ８ｂとから構成されている。
【００１０】
上記送風装置８は、後壁１３に形成された多数の小孔からなる吸気口１３ａを介して外気を吸引すると共に、その外気をマグネトロン１０に吹付けてこれを冷却した後、加熱室３の右側壁１１の前部に形成された多数の小孔からなる吸気口１１ａを介して加熱室３へ供給するように構成されている。なお、加熱室３内へ空気を送風する為、専用の送風装置を設けてもいい。
【００１１】
一方、加熱室３の左側壁１２の後部には、多数の小孔からなる排気口１２ａが形成されており、この排気口１２ａは排気通路１４を通して外部に連通するように構成されている。送風装置８が通電駆動されて空気が加熱室３内へ供給されると、加熱室３内の空気は前記排気口１２ａ及び排気通路１４を通して外部へ排出され、加熱室３内が換気される構成になっている。
【００１２】
前記排気通路１４の内壁面１５には、湿度センサ１６が配設されている。この湿度センサ１６は、２個のサーミスタ（図示せず）から構成されており、絶対湿度検知形の湿度センサである。２個のサーミスタのうちの一方のサーミスタは、金属の容器（図示せず）内に乾燥空気と共に密封状態で収納されている。そして、他方のサーミスタは、金属の容器（図示せず）内に開放状態で収納されており、湿度を検知したい空気（排気通路１４内の空気）が上記金属の容器内に自由に入ることが可能な構成になっている。
【００１３】
次に、図３について説明する。制御部２１には、入力部７ａからの入力信号、運転開始キー７ｄからの信号、ドア４の開閉に連動して開閉するドアスイッチ２２からの信号、湿度検知回路２３から出力される湿度検知信号等が入力され、表示駆動回路２４を介して操作部７に設けられている表示部７ａの制御、マグネトロン駆動回路２５を介してマグネトロン１０の制御、ファンモータ駆動回路２６を介してファンモータ８ａの制御等を行う。上記に説明したように、ドア４の開閉検知手段は、制御部２１とドアスイッチ２２とで構成される。
【００１４】
次に、図４について説明する。加熱室３のターンテーブル６に被加熱物を載せ、操作部７に設けた入力部７ｂで調理条件等を入力する（ステップＳ１）。次に、前記ドアスイッチ２２によりドア４が閉じられたか検知する（ステップＳ２）。ドア４が閉じられた場合（ステップＳ２でＹＥＳ）、運転開始キー７ｄが押されたか検知する（ステップＳ３）。運転開始キー７ｄが押された場合（ステップＳ３でＹＥＳ）、１５秒タイマがカウント開始すると共に前記送風装置８のファンモータ８ｂが駆動開始し、ファン８ａが回転する（ステップＳ４）。ファンモータ８ｂが駆動することにより、加熱室３内に空気が送風され換気を行う。なお、１５秒タイマがカウント中は、マグネトロン９は通電されない。そして、被加熱物の入れ間違いや入力部７ｂでのキーの押し間違い等に気づいてドア４が開けられたか検知する（ステップＳ５）。ドア４が開けられた場合（ステップＳ５でＹＥＳ）、ステップＳ２に戻る。ドア４が開けられなかった場合（ステップＳ５でＮＯ）、運転開始キー７ｄが押されて１５秒経過しているか判断する（ステップＳ６）。１５秒経過していれば（ステップＳ６でＹＥＳ）、ファンモータ８ｂを停止させてから湿度センサ１６の初期レベルの調整し、初期レベルの調整後マグネトロン１０を駆動開始する。なお、湿度センサ１６の初期レベルの調整中はファンモータ８ｂを停止させることにより、加熱室３内の湿度変化がなくなり、適切な初期値の設定ができる。マグネトロン１０を駆動開始と同時にファンモータ８ｂを駆動して、加熱室３内及び排気通路１４内の水蒸気分布を均一化する。以後、湿度センサ１６の出力に基づき、制御部２１は加熱運転を制御する。以上に説明したように、被加熱物の入れ間違いやキーの操作間違いに気付いてドアを開けて再度調理を開始した場合、マグネトロン１０を駆動していないので実際の加熱時間は変化せず調理に影響を与えることがない。
【００１５】
次に、図５について説明する。操作部３１には、液晶表示部３１ａ、調理条件等を入力する入力部３１ｂ、デモモードを設定する時に押すデモキー３１ｃ、電源スイッチ３１ｄ、スータトキー３１ｅが設けられている。電源スイッチ３１ｄを押して、デモキー３１ｃを例えば５秒押すと加熱手段の電源回路（図示せず）がＯＦＦされて店頭展示のデモモードに設定され、デモキー３１ｃを１０秒押すと通常の状態に戻るようにしている。デモモードを設定した時、被加熱物の加熱ができなくしているのは危険防止のためである。デモモードが設定されたら、液晶表示部３１ａを照らすＬＥＤを一定時間点滅させるか、ＬＥＤが２色以上あれば一定時間でＬＥＤの色を切換える。なお、デモモードの設定を複数のキーで入力してもいい。
【００１６】
次に、図６、図７のフローチャートについて説明する。図６は、デモモードが設定された時、液晶表示部３１ａを照らすＬＥＤを一定時間点滅させる場合である。デモモードが設定された場合（ステップＳ１１でＹＥＳ）、ＬＥＤが点灯する（ステップＳ１２）。そして、一定時間が経過すれば（ステップＳ１３でＹＥＳ）、ＬＥＤは消燈する（ステップＳ１４）。次に所定時間が経過すれば（ステップＳ１５でＹＥＳ）、ステップＳ１２に戻る。以上に説明したように、デモモード設定中は、ＬＥＤが一定時間間隔で点滅するので、店頭展示された調理器を顧客にアピールできる。
【００１７】
図７は液晶表示部３１ａを照らすＬＥＤが赤色と黄色の二色の場合である。デモモードが設定された場合（ステップＳ２１でＹＥＳ）、赤色のＬＥＤが点灯する（ステップＳ２２）。そして、一定時間が経過すれば（ステップＳ２３でＹＥＳ）、赤色のＬＥＤは消燈し黄色のＬＥＤが点灯する（ステップＳ２４）。次に所定時間が経過すれば（ステップＳ２５でＹＥＳ）、ステップＳ２２に戻る。以上に説明したように、デモモード設定中は、ＬＥＤの色が一定時間間隔で切換わるので、店頭展示された調理器を顧客にアピールできる。
【図面の簡単な説明】
【図１】本発明の調理器のドアを開けた時の斜視図である。
【図２】同調理器の平面断面図である。
【図３】同調理器の制御回路の構成を示すブロック図である。
【図４】同調理器のフロートチャートである。
【図５】調理器の操作部の拡大図である。
【図６】調理器のデモモードのフロートチャートである。
【図７】調理器のデモモードのフロートチャートである。
【符号の説明】
２        開口
３        加熱室
４        ドア
７        運転開始キー
８        送風装置
８ａ      ファンモータ
１０      マグネトロン
１１ａ    吸気口
１２ａ    排気口
１３ａ    吸気口
１４      排気通路
１６      湿度センサ
２１      制御部
【図１】
2004293834.tif 000003
【図２】
2004293834.tif 000004
【図３】
2004293834.tif 000005
【図４】
2004293834.tif 000006
【図５】
2004293834.tif 000007
【図６】
2004293834.tif 000008
【図７】
2004293834.tif 000009